(57)【要約】      （修正有）【課題】汎用材料を用いて迅速に組立てることができる仮設住宅を提供する。【解決手段】土台及び大引きの設置位置に打設された複数の杭芯と、杭芯上に固定された木材製の土台１３と、杭芯に搭載された木材製の大引きと、土台上及び大引き上にて掛け渡されて固定された木製の複数の根太と、規格寸法の型枠用の規格パネル又は該規格パネルの小寸法パネルからなり根太上に配列された複数枚の床パネルと、土台及び大引き上に立設された複数の柱１６と、型枠用の規格パネル又は小寸法パネルからなり柱間に取付けられた外壁１９と、外壁上端の柱に掛け渡されて固定された軒桁２１と、軒桁の間にて平行に掛け渡された大梁２９と、軒桁と直交する方向に固定された複数の小梁２２と、小梁に固定された合板製の複数の三角形板状合掌２６と、型枠用の規格パネル又は小寸法パネルからなり合掌１６に固定された屋根板２７と、を備える。【選択図】図２
2019085743.tif 000002
【特許請求の範囲】
【請求項１】
建設予定地の少なくとも土台（１３）及び大引き（１４）の設置位置の地盤に所定の長さを突き出させて打設され、基礎を構成する複数の杭芯（１２）と、
該杭芯（１２）上に固定された木材製の土台（１３）と、
上記杭芯（１２）に搭載され、両端が上記土台（１３）に固定された木材製の大引き（１４）と、
上記土台（１３）上及び大引き（１４）上にて上記大引き（１４）と直交する方向に延びて掛け渡され、上記土台（１３）及び／又は大引き（１４）に固定された木製の複数の根太（１５）と、
規格寸法の型枠用の規格パネル又は該規格パネルから採取された小寸法パネルからなり、上記根太（１５）上に配列された複数枚の床パネル（１８）と、
上記土台（１３）及び大引き（１４）上に立設された複数の柱（１６）と、
規格寸法の型枠用の規格パネル又は該規格パネルから採取された小寸法パネルからなり、隣接する柱の間に取付けられ、出入り口及び窓を有する外壁（１９）と、
該外壁（１９）上端の柱（１６）に掛け渡されて固定された軒桁（２１）と、
該軒桁（２１）の間にて相互に平行に掛け渡された大梁（２９）と、
該軒桁（２１）と直交する方向に掛け渡されて固定された複数の小梁（２２）と、
該小梁（２２）に固定された合板製の複数の三角形板状合掌（２６）と、
該規格寸法の型枠用の規格パネル又は該規格パネルから採取された小寸法パネルからなり、上記三角形板状合掌（１６）に固定された屋根板（２７）と、
を備えたことを特徴とする仮設住宅。
【発明の詳細な説明】
【技術分野】
【０００１】
本発明は仮設住宅に関し、特に汎用材料を用いて迅速に組立てることができるようにした仮設住宅に関する。
【背景技術】
【０００２】
最近、大地震、台風、土砂災害あるいは火災等によって住宅を消失することが度々起こっている。住宅を失った場合、体育館等の避難所やテント等で長期間の仮住まいを強いられ、その精神的・肉体的苦痛ははかり知れない。
【０００３】
他方、在来の工法によって仮設住宅を建築する場合には急いでも１ヶ月近くかかり、しかもそのための費用も膨大である。
【０００４】
これに対し、軽量かつ高強度の石膏ボード原紙再生パネルを用いて仮設住宅を組み立て、仮住まいとして利用できるようにした技術が提案されている（特許文献１）。
【０００５】
また、２枚の板材を貼り合わせて合板を製作し、合板を屋根、壁、床や棟木に使用するようにした仮設住宅が提案されている（特許文献２）。
【先行技術文献】
【特許文献】
【０００６】
【特許文献１】特開２０１７−５３１８９号公報
【特許文献２】特開２００７−１９８１０８号公報
【発明の開示】
【発明が解決しようとする課題】
【０００７】
しかし、特許文献１記載の仮設住宅では石膏ボード原紙再生パネルを使用しているので、リサイクル品で安価であるものの、石膏ボード原紙再生パネルを製造する設備を必要とする。
【０００８】
また、特許文献２記載の仮設住宅では２枚の板材を貼り合わせた合板と準備する必要があり、材料がコスト高になる。
【０００９】
本発明はかかる問題点に鑑み、汎用材料を用いて迅速に組立てることができるようにした仮設住宅を提供することを課題とする。
【課題を解決するための手段】
【００１０】
そこで、本発明に係る仮設住宅は、建設予定地の少なくとも土台及び大引きの設置位置の地盤に所定の長さを突き出させて打設され、基礎を構成する複数の杭芯と、該杭芯上に固定された木材製の土台と、上記杭芯上に固定され、両端が上記土台に固定された木材製の大引きと、上記土台上及び大引き上にて上記大引きと直交する方向に延びて掛け渡され、上記土台及び大引きに固定された木製の複数の根太と、規格寸法の型枠用の規格パネル又は該規格パネルから採取された小寸法パネルからなり、上記根太上に配列された複数枚の床パネルと、上記土台及び大引き上に立設された複数の柱と、規格寸法の型枠用の規格パネル又は該規格パネルから採取された小寸法パネルからなり、隣接する柱の間に取付けられ、出入り口及び窓を有する外壁と、該外壁上端の柱に掛け渡されて固定された軒桁と、該軒桁の間にて相互に平行に掛け渡された大梁と、該軒桁と直交する方向に掛け渡されて固定された複数の小梁と、該小梁に固定された合板製の複数の三角形板状合掌と、該規格寸法の型枠用の規格パネル又は該規格パネルから採取された小寸法パネルからなり、上記三角形板状合掌に固定された屋根板と、を備えたことを特徴とする。
【００１１】
本発明の特徴は複数の杭芯によって基礎を構成するようにした点にある。
これにより、コンクリート基礎を打設して固化させ養生する場合に比較して非常に短い時間で基礎を造ることができ、その後に柱や壁、屋根を造作し、内装を行って仮設住宅を建てる時間が非常に短くできる。本件発明者らの試作によれば１．５日〜２日で仮設住宅を完成させることができた。
【００１２】
本発明の第２の特徴は床パネル、外壁及び屋根板に型枠用の規格パネルを使用するようにした点にある。
これにより、仮設住宅の大部分を汎用材料を用いて建築することができ、安価に仮設住宅を建築することができる。
【００１３】
本発明の第３の特徴は合掌に三角形状の合板を用いるようにした点にある。
これにより、屋根の荷重に十分に耐えることのできる構造を提供することができる。
【００１４】
杭芯と土台や大引き、土台と大引き、軒桁と柱、軒桁と大梁、大梁と小梁、土台又は大引きと柱、柱と外壁を構成するパネル、合掌と小梁、合掌と屋根板とは釘打ちによって固定してもよく、固定用の金具を用いて固定してもよく、ほぞとほぞ穴の嵌合によって固定してもよい。
【００１５】
仮設住宅の内装や間仕切りについては特に限定されず、居住者の希望に応じて適宜選択することができる。
【図面の簡単な説明】
【００１６】
【図１】本発明に係る仮設住宅の好ましい実施形態を示す概略斜視図である。
【図２】上記実施形態において屋根板の半分を省略した状態を示す概略斜視図である。
【図３】上記実施形態における杭芯のレイアウト例を示す平面図である。
【図４】上記実施形態における土台、大引き及び根太のレイアウト例を示す平面図である。
【図５】上記実施形態における床パネルのレイアウト例を示す平面図である。
【図６】上記実施形態における仕切り壁の例を示す側面図である。
【図７】上記実施形態における仕切り壁の例を示す側面図である。
【図８】上記実施形態における仕切り壁の例を示す側面図である。
【図９】上記実施形態における軒桁、大梁及び小梁の組立て状態を示す概略斜視図である。
【図１０】上記実施形態における合掌と小梁の関係を示す図である。
【図１１】上記実施形態における軒板、屋根板、小梁及び柱の関係（ａ）と屋根板のレイアウト例（ｂ）を示す図である。
【図１２】上記実施形態における室内の平面レイアウト（ａ）、外壁の三側面（ｂ）（ｃ）（ｄ）を示す図である。
【発明を実施するための形態】
【００１７】
以下、本発明を図面に示す具体例に基づいて詳細に説明する。図１ないし図１２は本発明に係る仮設住宅の好ましい実施形態を示す。本例の仮設住宅を建設する場合、図３に示されるように、仮設住宅１０の建設予定の地盤１１の所定間隔、例えば１３６５ｍｍ×９１０ｍｍの間隔をあけた格子点の位置に所定の寸法だけ突出させて杭芯１２を打ち込み、基礎とする。杭芯１２には例えば間伐材を用いることができる。
【００１８】
次に、図４に示されるように、外周の杭芯１２上に土台１３を載せ、中央の杭芯１２上に大引き１４を載せ、Ｌ字状の取付け金物を用いて固定するが、ほぞとほぞ穴の嵌合によって固定してもよい。土台１３及び大引き１４には例えば９０ｍｍ×９０ｍｍの木材を使用することができる。
【００１９】
また、土台１３及び大引き１４上には根太掛けを釘打ちやねじで取付け、根太掛け上に複数の根太１５を相互に間隔をあけて平行にかつ大引き１４と直交するように載せ、釘打ち又はねじによって固定するが、Ｌ字状又は函状の取付け金物を用いて固定することもできる。例えば、根太掛けには９０ｍｍ×９０ｍｍ×３０００ｍｍを２４本、３０ｍｍ×９０ｍｍ×３０００ｍｍを８本用いることができる。土台１３、大引き１４及び根太１５は火打ち１７によって補強する。
【００２０】
また、土台１３、大引き１４及び根太１５には柱１６をほぞとほぞ穴の嵌合によって立てる。例えば、柱１６には９０ｍｍ×９０ｍｍ×３０００ｍｍを２３本用いることができる。
【００２１】
次に、根太１５上に床パネル１８を割りつける。床パネル１８には型枠に使用する規格パネル又は規格パネルを切断した小寸法パネルを用いる。例えば、床パネル１９には厚み７２ｍｍの９００ｍｍ×１８００ｍｍを４枚、８３５ｍｍ×１８００ｍｍを２枚、９００ｍｍ×１７８０ｍｍを８枚、８３５ｍｍ×１７８０ｍｍを４枚用いる。
【００２２】
また、和室を除く箇所の床パネル１８上には床板を貼り付けてフローリング仕上げを行う。
【００２３】
他方、柱１６の間には図１２の（ｂ）（ｃ）（ｄ）に示されるように、外壁パネル１９が張られて釘打ちやねじによって固定される。外壁パネルには型枠に用いる規格パネル１９又は規格パネルを切断して得られる小寸法パネルが用いられる。例えば、９００ｍｍ×１７３０ｍｍ、７５０ｍｍ×１７３０ｍｍ、７５０ｍｍ×８２０ｍｍのパネルを用いる。
【００２４】
他方、室内の間仕切り２０には図６ないし図８に示されるように、合板、例えば４ｍｍ厚みの、９００ｍｍ×１７３０ｍｍ、６６２ｍｍ×１７３０ｍｍ、９００ｍｍ×４５５ｍｍ、６１７ｍｍ×４５５ｍｍ、４８２ｍｍ×１７３０ｍｍ、８２０ｍｍ×９１０ｍｍ、５７２ｍｍ×２６４０ｍｍの合板を用いる。
【００２５】
また、柱１６の上端には図９に示されるように、大梁２０及び軒桁２１をほぞとほぞ穴の嵌合や取付け金物によって取付け、大梁２０上には小梁２２を相互に間隔をあけて平行にかつ大梁２９に直交するように延びて取付ける。軒桁２１と小梁２２とは図９に示されるように、取付け金物２３によって相互に固定し、小梁２２は補強金物２４によって補強する。
【００２６】
小梁２２には図１０に示されるように複数の桟木２５を取付け、桟木２５によって三角形板状の合掌２６を取付ける。合掌２６には合板を三角形状に切断して用いる。合掌２６には屋根板２７を釘打ちやねじによって取り付け、屋根板２７上には波板２８を取り付ける。屋根板２７には型枠に用いる規格パネルを用いる。
【００２７】
なお、室内については断熱材を入れて内壁を構成し、洋間や台所はフローリング貼りを行い、台所には流し台を装備し、便所や浴室には便器や浴槽を据付け、和室には畳を敷くが、使用者の好みに応じて適宜選択するので、その詳細は省略する。
【００２８】
以上のように、杭芯１２によって基礎を構成するようにしたので、コンクリート基礎を打設して固化し養生する場合に比較して非常に短い時間で基礎を造ることができ、その後に柱や壁、屋根を造作し、内装を行って仮設住宅を建てる時間が非常に短くできる。本件発明者らの試作によれば１．５日〜２日で仮設住宅を完成させることができる。
【００２９】
また、床パネル１８、外壁及び屋根板２７に型枠用の規格パネルを使用するようにしたので、仮設住宅の大部分を汎用材料を用いて建築することができ、安価に仮設住宅を建築することができる。
【００３０】
さらに、合掌２６に三角形状の合板を用いるようにしたので、屋根の荷重に十分に耐えることのできる構造を提供することができる。
【符号の説明】
【００３１】
１０    仮設住宅
１２    杭芯
１３    土台
１４    大引き
１５    根太
１６    柱
１８    床パネル
２１    軒桁
２２    小梁
２６    合掌
２７    屋根板
２９    大梁
【図１】
2019085743.tif 000003
【図２】
2019085743.tif 000004
【図３】
2019085743.tif 000005
【図４】
2019085743.tif 000006
【図５】
2019085743.tif 000007
【図６】
2019085743.tif 000008
【図７】
2019085743.tif 000009
【図８】
2019085743.tif 000010
【図９】
2019085743.tif 000011
【図１０】
2019085743.tif 000012
【図１１】
2019085743.tif 000013
【図１２】
2019085743.tif 000014